(57)【要約】  子供不正開封防止開封表示パッケージは、開放口（２０）と開放口から離間した外側円周ビード（２６）とを有する口部（１８）を備えた容器（１４）を含んでいる。クロージャー（１２）は、口部を外部から取り囲むスカート（３０），容器口部の外側円周ビードの下に位置するようにスカートに脆弱的に連結された不正開封バンド（３６），及び口部と係合し且つクロージャーを口部から押し離すためのスプリング要素（４２）を備えている。口部及びスカートは、連結要素（２２，２４，３２，３４）を備え、この連結要素は、連結要素の係合を外すためにスプリング要素に抗して力を加えなければ、口部からのクロージャーの取り外しに抵抗する。不正開封バンドと外側円周ビードとの係合は、パッケージの潜在的な開封を表示するために、容器口部からのクロージャーの最初の取り外しのとき、バンドとスカートとの脆弱な連結を破断させる。【選択図】図１
2008514513.tif 000002
【特許請求の範囲】
【請求項１】
子供不正開封防止開封表示パッケージであって、
開放口（２０）と前記開放口から離間した外側円周ビード（２６）とを有する口部（１８）を備えた容器（１４）と、
前記口部を外部から取り囲むスカート（３０），前記外側円周ビードの下に位置するように前記スカートに脆弱的に連結された不正開封バンド（３６），及び前記口部に係合するスプリング要素（４２）を備えたクロージャー（１２）と、を備え、
スプリング要素は、前記クロージャーを前記口部から押し離すためのものであり、
前記口部及び前記スカートは、連結要素（２２，２４，３２，３４）を備え、この連結要素は、前記連結要素の係合を外すために前記スプリング要素に抗して力を加えなければ、前記口部からの前記クロージャーの取り外しに抵抗し、
前記不正開封バンドと前記ビードとの係合は、前記クロージャーの前記口部からの最初の取り外しの際に、前記バンドと前記スカートとの脆弱な連結を破断させることを特徴とするパッケージ。
【請求項２】
前記連結要素は、前記口部に設けられた少なくとも１つの雄ネジ山（２２）と前記雄ネジ山の下面に設けられた係止用突起（２４）、及び、前記スカートに設けられた少なくとも１つの雌ネジ山（３２）と前記突起を受け入れるための前記雌ネジ山の途切れ部（３４）を含むことを特徴とする請求項１に記載のパッケージ。
【請求項３】
前記不正開封バンド（３６）は、前記口部の外側円周ビード（２６）との係合のための、前記バンドに弾性的に枢動可能に連結された停止フランジ（４０）を含むことを特徴とする請求項２に記載のパッケージ。
【請求項４】
前記クロージャーは、前記クロージャーの反転非子供不正開封防止操作モードで、前記開放口（２０）内に受け入れられる突出部（４４）を有することを特徴とする請求項１に記載のパッケージ。
【請求項５】
前記クロージャーは、ベース壁（２８）を有し、
前記突出部（４４）は、前記ベース壁から前記スカートと反対方向に延び、且つ、前記スカートから半径方向内方に離間した外面を有し、
前記外面は、前記ベース壁に隣接し、前記非子供不正開封防止操作モードで前記開放口（２０）と密封係合するための部分（４６）を有することを特徴とする請求項４に記載のパッケージ。
【請求項６】
前記突出部の前記外面は、前記ベース壁から離間し、前記非子供不正開封防止操作モードで前記開放口内にスナップ嵌めするためのビード（４８）を有することを特徴とする請求項５に記載のパッケージ。
【請求項７】
子供不正開封防止パッケージであって、
開放口（２０），前記開放口から離間した外側円周ビード（２６），前記開放口と前記ビードとの間に設けられた少なくとも１つの雄ネジ山（２２），及び前記雄ネジ山の下面に設けられた係止用突起（２４），を有する口部（１８）を備えた容器（１４）と、
ベース壁（２８），前記ベース壁から延び前記係止用突起を受け入れるための途切れ部（３４）を有する少なくとも１つの雌ネジ山（３２）を備えた外側スカート（３０），前記ベース壁から離間した位置で前記スカートに脆弱的に連結された不正開封バンド（３６），前記口部の外側円周ビードとの係合のための、前記バンドに弾性的に枢動可能に連結されている停止フランジ（４０），前記口部との係合のためのスプリング要素（４２），及び前記ベース壁から前記スカートと反対方向に延びる突出部（４４），を備えたクロージャー（１２）と、を備え、
前記突出部が、前記ベース壁と隣接した部分（４６）と前記ベース壁から離間した外側ビード（４８）とを有し、
前記クロージャーは、子供不正開封防止開封表示操作モードで、前記スカートが前記口部に受け入れられ、前記クロージャーの前記雌ネジ山が前記口部の雄ネジ山と螺合し、前記口部の前記係止用突起が前記クロージャーの前記ネジ山途切れ部に受け入れられ、前記スプリング要素が前記クロージャーを前記口部から押し離すように前記口部と係合し、且つ、前記停止フランジが前記外側円周ビードの下に受け入れられた状態で、前記口部に受け入れられ、
前記クロージャーは、非子供不正開封防止操作モードで、前記突出部が前記開放口内に受け入れられ、前記ベース壁に隣接した前記突出部の外面部分が前記開放口の内径部と密封係合し、前記突出部の前記外側ビードが前記開放口内にスナップ嵌めによって受け入れられた状態で、前記口部に受け入れられることを特徴とするパッケージ。
【請求項８】
前記スプリング要素（４２）は、前記口部（１８）の端面に係合するように、前記スカート（３０）から半径方向内方に延びていることを特徴とする請求項７に記載のパッケージ。
【請求項９】
ワンピースの一体成形プラスチック構造のクロージャーであって、
ベース壁（２８）と、
前記ベース壁から延び、途切れ部（３４）を有する少なくとも１つの雌ネジ山（３２）を備える周囲スカート（３０）と、
前記ベース壁から離間した位置で前記スカートに脆弱的に連結された不正開封バンド（３６）と、
前記スカートに弾性的に枢動可能に連結された停止フランジ（４０）と、
前記スカートから半径方向内方に延びるスプリング要素（４２）と、
前記ベース壁から前記スカートと反対方向に延びる突出部（４４）と、を備え、
前記突出部は、前記ベース壁に隣接した部分（４６）と前記ベース壁から離間した外側ビード（４８）とを有する外面を備えていることを特徴とするクロージャー。
【請求項１０】
クロージャーの製造方法であって、
ベース壁（２８）と、前記ベース壁から延び、途切れ部（３４）を有する少なくとも１つの雌ネジ山（３２）を備える周囲スカート（３０）と、前記ベース壁から離間した位置で前記スカートに脆弱的に連結された不正開封バンド（３６）と、前記スカートに弾性的に枢動可能に連結された停止フランジ（４０）と、前記スカートから半径方向内方に延びるスプリング要素（４２）と、前記ベース壁から前記スカートと反対方向に延びる突出部（４４）と、を備え、前記突出部は、前記ベース壁に隣接した部分（４６）と前記ベース壁から離間した外側ビード（４８）とを有する外面を備えているクロージャー本体を一体成形する工程を含むことを特徴とする方法。
【発明の詳細な説明】
【技術分野】
【０００１】
本発明は、子供不正開封防止のパッケージと、そのようなパッケージのクロージャー及び容器と、そのようなパッケージ，クロージャー及び容器の製造方法に関する。
【背景技術】
【０００２】
子供不正開封防止のクロージャー及び容器のパッケージは、従来、処方薬瓶、ビタミンボトル、他の多数の適用に用いられる。本発明は、特に、クロージャーに軸方向の力を与え、同時に容器に対してクロージャーを回して、容器からクロージャーを取り外すタイプの子供不正開封防止パッケージに関する。
【発明の開示】
【０００３】
本発明の現在好ましい態様による子供不正開封防止開封表示パッケージは、開放口と開放口から離間した外側円周ビードとを有する口部を備えた容器を含んでいる。クロージャーは、容器口部を外部から取り囲むスカート，容器口部の外側円周ビードの下に位置するための、スカートに脆弱的に連結された不正開封バンド，及び口部に係合し且つクロージャーを口部から押し離すためのスプリング要素を備えている。口部及びスカートは、連結要素を備え、この連結要素は、連結要素の係合を外すためにスプリング要素に抗して力を加えなければ、口部からのクロージャーの取り外しに抗する。不正開封バンドの外側円周ビードとの係合は、容器口部からのクロージャーの最初の取り外しの際、バンドとスカートとの脆弱な連結を破断して、パッケージの潜在的な開封を表示する。本発明の好ましい実施形態では、連結要素は、容器口部に設けられた少なくとも１つの雄ネジ山と、雄ネジ山の下面に設けられた係止用突起と、を含む。スカートの少なくとも１つの雌ネジ山は、突起を受け入れるための途切れ部を有しており、クロージャーに加えられる軸方向の力が、途切れ部を突起との係合から外し、クロージャーの取り外しを可能にするのに必要である。
【０００４】
本発明の他の現在好ましい態様による子供不正開封防止パッケージは、開放口，開放口から離間した外側円周ビード，開放口と円周状ビードとの間の少なくとも１つの雄ネジ山，及び雄ネジ山の下面の係止用突起，を有する口部を備えた容器を含んでいる。クロージャーは、ベース壁，ベース壁から延び、容器口部の係止用突起を受け入れるための途切れ部を備えた少なくとも１つの雌ネジ山を有する外側スカートを有している。不正開封バンドが、ベース壁から離間した位置でスカートに脆弱的に連結され、停止フランジが、口部の外側円周ビードとの係合のために、バンドから弾性的に枢動可能に延びている。突出部が、ベース壁からスカートと反対方向に延びている。突出部は、ベース壁に隣接した部分とベース壁から離間した外側ビードとを有する外面を備えている。また、クロージャーは、容器口部に係合するためのスプリング要素を有する。クロージャーは、子供不正開封防止開封表示操作モードで、スカートが口部に受け入れられ、口部及びスカートのネジ山が螺合し、口部の係止用突起がスカートのネジ山途切れ部に受け入れられ、スプリング要素がクロージャーを口部から押し離すように口部と係合し、停止フランジが口部の外側円周ビードの下に受け入れられた状態で、容器口部に受け入れられる。クロージャーは、非子供不正開封防止操作モードで、突出部が容器開放口内に受け入れられ、外面部分が容器開放口の内径部と密封係合し、突出部の外側ビードが容器開放口内にスナップ嵌めによって受け入れられた状態で、口部に受け入れられる。
【０００５】
本発明は、追加的な目的，特徴，利点及び特性と共に、以下の記載，特許請求の範囲及び添付図面からよく理解されるであろう。
【発明を実施するための最良の形態】
【０００６】
図１乃至図４は、容器１４に取り外し自在に固定されるクロージャー１２を含む本発明の好ましい実施形態によるパッケージ１０を示している。容器１４（図１乃至図５）は、本体１６と、本体１６から延びる円筒状口部（finish）１８とを有している。本体１６は、任意の適当な形状のものでよい。口部１８は、開放口２０と、少なくとも一つの雄ネジ山（又は、ネジ山セグメント）２２と、を備えている。角度的に間隔を隔てた４つのネジ山が示されている。各雄ネジ山２２は、容器開放口から遠い方のネジ山セグメントの端に、ネジ山の下面から軸方向に延びる係止用突起（locking lug）２４を有している。係止用突起２４は、本発明の好ましい実施形態では実質的に矩形である。外側円周ビード２６が、雄ネジ山２２及び係止用突起２４から軸方向に離間した位置で、口部１８の周囲に延びている。ビード２６は、好ましくは口部１８の軸線に対して垂直である。
【０００７】
クロージャー１２（図１乃至図４、図６、図７）は、好ましくはベース壁２８を含むワンピースの一体成形構造のものである。本発明の好ましい実施形態では、ベース壁２８は、外周縁からスカート３０が軸方向に延びる環状構造のものである。スカート３０は、容器口部１８の雄ネジ山２２と螺合するための少なくとも一つの雌ネジ山（又は、ネジ山セグメント）３２を有している。各雌ネジ山３２は、容器口部１８の関連した係止用突起２４を受け入れるための途切れ部又はギャップ３４を含んでいる。不正開封バンド（tamper-band）３６は、好ましくは、スカート３０とバンド３６の内面に一体成形されている複数のブリッジ３８によって、スカート３０の下端に脆弱的に切離し易く（frangibly）連結されている。（「下」及び「内側」のような方向を表す用語は、図１，図２，図５乃至図７に示されているクロージャー及びパッケージの直立の向きに対して説明するために用いられており、限定するものではない。「軸方向」及び「半径方向」のような方向を表す用語は、必要に応じて容器口部又はクロージャースカートの軸線に対して説明するために用いられており、限定するものではない。）図１に示されている子供不正開封防止開封表示（tamper-indicating child-resistant）操作モードで、容器口部１８の外側円周ビード２６に係合するための停止フランジ４０が、バンド３６の下端に隣接してバンド３６に弾性的に枢動可能に連結されている。停止フランジ４０は、米国特許第５，４４３，１７１号又は米国再発行特許第Ｒｅ３３，２６５号に示されているタイプのものがよい。
【０００８】
子供不正開封防止操作モード（図１及び図２）で容器口部１８に係合するためのスプリング要素４２が、クロージャー１２から延びている。図面に示されている本発明の好ましい実施形態では、スプリング要素４２は、図７に最もよく示されているように、ベース壁２８に隣接しているが、ベース壁２８から離間している位置でスカート３０から半径方向内方にかつ軸方向下方に延びる円錐構造のものである。スプリング要素４２は、好ましくは円周方向に連続し、また、好ましくはスカート３０から離れて延びるにつれて厚くなっている。突出部４４が、ベース壁２８の内周縁からスカート３０と反対方向に延びている。本発明の好ましい実施形態では、突出部４４は中空又はドーム形状である。突出部４４は、ベース壁２８に直ぐ隣接した第１部分４６と、ベース壁２８から離間し半径方向外方に延びる円周状のビード４８を有する第２部分とを備えた半径方向外方を向いた面を有している。ビード４８は、円周方向に連続していてもよいし、或いは、円周方向に分割されていてもよい。
【０００９】
図１及び図２に示す子供不正開封防止開封表示操作モードでは、クロージャー１２は、クロージャー雌ネジ山３２が口部雄ネジ山２２と螺合し、且つ、口部１８の係止用突起２４がクロージャー雌ネジ山３２の途切れ部又はギャップ３４内に受け入れられた状態で、容器口部１８に受け入れられている。スプリング要素４２は、口部１８の上端と係合して、クロージャー１２を容器１４から軸方向に押し離し、これにより突起２４を途切れ部３４内に保持する。不正開封表示バンド３６の停止フランジ４０は、容器口部１８のビード２６の下に係合している。容器１４からクロージャー１２を取り外すには、途切れ部３４が係止用突起２４の下端を越えるまで、スプリング要素４２の付勢力に抗してクロージャー１２を下方に押すことが必要である。すると、クロージャー１２を反時計方向又は弛む方向に回わすことができる。クロージャーが容器口部から弛められるとき、停止フランジ４０の容器ビード２６との当接は、クロージャーの取り外しを妨げ、不正開封バンド３６とクロージャースカート３０との脆弱な連結部の破断を引き起こす。かくして、クロージャー１２が最初にパッケージから取り外されると、不正開封バンドは、クロージャーから脆弱的に分離されてパッケージが開封されたことを表示する。その後、クロージャー１２を子供不正開封防止モードで容器に着脱することができる。
【００１０】
図３及び図４に示す非子供不正開封防止操作モードでは、クロージャー１２は逆にされ、クロージャー突出部４４が容器開放口２０内に受け入れられる。突出部４４の外面部分４６は、容器開放口２０の内径部と栓密封面対面の係合状態にあり、突出部４４の外側ビード４８は、口部の開放端から離間した容器口部内の内側ビード５０に、スナップ嵌めによって受け入れられる。（ビード５０は、内側円周溝で置換されてもよい。）かくして、クロージャー１２は、反転非子供不正開封防止操作モードで、パッケージがクロージャー表面４６の容器開放口の内径部との当接によって封止された状態で、容器口部に固定される。
【００１１】
クロージャー１２と容器１４は、任意の適当な材料構成のもの、好ましくはポリプロピレンのようなプラスチックのものであるのがよい。
【００１２】
かくして、上述のすべての課題目的を満足する子供不正開封防止パッケージ、そのようなパッケージのためのクロージャー及び容器、及び、そのようなクロージャー，容器及びパッケージの製造方法が開示された。本発明は、現在好ましい実施形態に関連して開示され、多くの変形及び改変が議論された。他の変形及び改変が、上述の議論を考慮して容易に当業者に示唆されるであろう。本発明は、添付請求項の精神及び広い範囲内に入るようなすべての変形及び改変を含むものである。
【図面の簡単な説明】
【００１３】
【図１】本発明の好ましい一実施形態による子供不正開封防止開封表示パッケージの部分断面図である。
【図２】図１の領域２の部分拡大断面図である。
【図３】クロージャーが容器に非子供不正開封防止モードで取り付けられている図１及び図２のパッケージの部分断面図である。
【図４】図３の領域４の部分拡大断面図である。
【図５】図１乃至図４のパッケージにおける容器の部分正面図である。
【図６】図１乃至図４のパッケージにおけるクロージャーの部分断面正面図である。
【図７】図６に示されたクロージャーの部分拡大断面図である。
【符号の説明】
【００１４】
１０  パッケージ
１２  クロージャー
１４  容器
１６  本体
１８  容器口部
２０  容器開放口
２２  雄ネジ山
２４  係止用突起
２６  外側ビード
２８  ベース壁
３０  スカート
３２  雌ネジ山
３４  途切れ部
３６  不正開封バンド
３８  ブリッジ
４０  停止フランジ
４２  スプリング要素
４４  突出部
４６  外面部分
４８  外側ビード
５０  内側ビード
【図１】
2008514513.tif 000003
【図２】
2008514513.tif 000004
【図３】
2008514513.tif 000005
【図４】
2008514513.tif 000006
【図５】
2008514513.tif 000007
【図６】
2008514513.tif 000008
【図７】
2008514513.tif 000009
【手続補正書】
【提出日】平成19年4月2日(2007.4.2)
【手続補正１】
【補正対象書類名】特許請求の範囲
【補正対象項目名】全文
【補正方法】変更
【補正の内容】
【特許請求の範囲】
【請求項１】
ワンピースの一体成形プラスチック構造のクロージャーであって、
ベース壁（２８）と、前記ベース壁から延びるスカート（３０）と、スプリング要素（４２）と、前記ベース壁から前記スカートと反対方向に延びる突出部（４４）と、を備え、前記突出部は、前記ベース壁に隣接した部分（４６）と前記ベース壁から離間した外側ビード（４８）とを有する外面を備えているクロージャーにおいて、
前記クロージャーは、
途切れ部（３４）を有する少なくとも１つの雌ネジ山（３２）と、
前記ベース壁から離間した位置で前記スカートに脆弱的に連結された不正開封バンド（３６）と、
前記不正開封バンドに弾性的に枢動可能に連結された停止フランジ（４０）と、を備え、
前記スプリング要素（４２）は、前記スカートから半径方向内方に突出していることを特徴とするクロージャー。
【請求項２】
子供不正開封防止パッケージであって、
開放口（２０）を有する口部（１８）を備えた容器（１４）と、
ベース壁（２８），前記ベース壁から延びるスカート（３０），前記口部との係合のためのスプリング要素（４２），及び前記ベース壁から前記スカートと反対方向に延びる突出部（４４），を備えたクロージャー（１２）と、を備え、
前記突出部は、前記ベース壁に隣接した部分（４６）と前記ベース壁から離間した外側ビード（４８）とを有する外面を備え、
前記クロージャーが、子供不正開封防止操作モードで、前記スカートが前記口部に受け入れられ、前記スプリング要素が前記クロージャーを前記口部から押し離すように前記口部と係合した状態で、前記口部に受け入れられ、
前記クロージャーが、非子供不正開封防止操作モードで、前記突出部が前記開放口内に受け入れられ、前記ベース壁に隣接した前記突出部の外面部分が前記開放口の内径部と密封係合し、前記突出部の前記外側ビードが前記開放口内にスナップ嵌めによって受け入れられた状態で、前記口部に受け入れられる、子供不正開封防止パッケージにおいて、
前記容器口部は、前記開放口から離間した外側円周ビード（２６）と、前記開放口と前記ビードとの間に設けられた少なくとも１つの雄ネジ山（２２）と、前記雄ネジ山の下面に設けられた係止用突起（２４）と、を有し、
前記クロージャースカートは、前記係止用突起を受け入れるための途切れ部（３４）を備えた少なくとも１つの雌ネジ山（３２）と、前記ベース壁から離間した位置で前記スカートに脆弱的に連結された不正開封バンド（３６）と、前記口部の前記外側円周ビードとの係合のための、前記バンドに弾性的に枢動可能に連結された停止フランジ（４０）と、を有し、
前記子供不正開封防止操作モードでは、前記スカートの前記雌ネジ山が前記容器の前記雄ネジ山と螺合し、前記口部の前記係止用突起が前記クロージャーの前記ネジ山途切れ部に受け入れられ、前記停止フランジが前記外側円周ビードの下に受け入れられており、前記途切れ部が前記突起を越えるまで前記クロージャーを前記スプリング要素に抗して最初に押し、そして、前記クロージャーが初めに前記容器から弛められるとき、前記不正開封バンドの前記スカートからの分離により開封表示を提供し、
前記スプリング要素（４２）は、前記スカート（３０）から半径方向内方に延びて前記口部（１８）の端面に係合することを特徴とするパッケージ。
【国際調査報告】
2008514513.tif 000010
2008514513.tif 000011
2008514513.tif 000012